(57)【要約】【課題】  組込式加熱調理器において、システムキッチンの前面開口部に臨ませた操作部ケースとサイドピースの間に形成される隙間により、加熱調理器からの騒音が前面に漏れ易く、また、美観を損ねる。【解決手段】  本体の上面に設けられたプレートと、このプレートの下方に設けられた加熱部と、この加熱部の下方であって前記本体の一側に設けられた調理物を焼くロースター部と、このロースター部とは反対側の本体前面に開閉式の操作部ケースとを備え、前記本体は、天板と前面に開口部を有する厨房家具の前記天板開口部に前記本体が挿入されて、前記前面開口部より前記ロースター部の前面部及び前記操作部ケースが臨む位置に配置される加熱調理器において、前記操作部ケースはその前面を覆う化粧カバーを備え、この化粧カバーは前記操作部ケースよりも横に長く、前記ロースター部とは反対側に伸びた延長部を有する。【選択図】  図４
2007078295.tif 000002
【特許請求の範囲】
【請求項１】
本体の上面に設けられたプレートと、このプレートの下方に設けられた加熱部と、この加熱部の下方であって前記本体の一側に設けられた調理物を焼くロースター部と、このロースター部とは反対側の本体前面に開閉式の操作部ケースとを備え、前記本体は、天板と前面に開口部を有する厨房家具の前記天板開口部に前記本体が挿入されて、前記前面開口部より前記ロースター部の前面部及び前記操作部ケースが臨む位置に配置される加熱調理器において、前記操作部ケースはその前面を覆う化粧カバーを備え、この化粧カバーは前記操作部ケースよりも横に長く、前記ロースター部とは反対側に伸びた延長部を有する加熱調理器。
【請求項２】
請求項１記載の加熱調理器において、前記化粧カバーは前記操作部ケースの左右側面に設けられた操作部ケース嵌合部と嵌合する化粧カバー嵌合部を有する加熱調理器。
【請求項３】
請求項２記載の加熱調理器において、前記操作部ケース嵌合部と前記化粧カバー嵌合部とは、一方が凸状部を備え、他方が凹状部からなる加熱調理器。
【請求項４】
請求項２記載の加熱調理器において、前記操作部ケースの左右側面の前縁部にフランジを有し、そのフランジと嵌合する受け部を前記化粧カバーの前記ロースター部側縁部と前記ロースター部側とは反対位置にある前記フランジに対応する位置とに備えた加熱調理器。
【請求項５】
請求項２記載の加熱調理器において、前記化粧カバーの延長部は、前記ロースター部とは反対側のシステムキッチン側壁近傍に縁部を有する加熱調理器。
【請求項６】
本体の上面に設けられたプレートと、このプレートの下方に設けられた加熱部と、この加熱部の下方であって前記本体の一側に設けられた調理物を焼くロースター部と、このロースター部とは反対側の本体前面に開閉式の操作部ケースとを備え、前記本体は、天板と前面に開口部を有する厨房家具の前記天板開口部に前記本体が挿入されて、前記前面開口部より前記ロースター部の前面部及び前記操作部ケースが臨む位置に配置される加熱調理器において、前記操作部ケースは前面に化粧カバーを有し、この化粧カバーは前記操作部ケースの前面を覆うと共に前記操作部ケースの側方に延長した延長部と、前記操作部ケースの左右側面を挟んで固定する固定部とを有する加熱調理器。
【発明の詳細な説明】
【技術分野】
【０００１】
本発明は、キッチン家具に組み込まれ、操作部を備えた加熱調理器に関する。
【背景技術】
【０００２】
従来の組込み式加熱調理器として、本体内に加熱コイルを含む複数の加熱部を備え、この加熱部の下方で本体の左右いずれか一側にロースター部を備え、このロースター部とは反対側の前面内に加熱部の操作を行う操作部ケースを備えた組込み式加熱調理器について、図５及び図６に従って説明する。
【０００３】
図５は従来の組込式加熱調理器の組込み要領図であり、図６は従来の組込式加熱調理器の厨房家具への組込み後の外観図を示す。
【０００４】
各図において、キッチンに設置された厨房家具であるシステムキッチン１は、上面に加熱調理器が組み込まれる四角形の天板開口部１ａが設けられ、前面に長方形の前面開口部１ｂが設けられている。この場合、システムキッチン１はシンク部分や収納部を除いて図示している。
【０００５】
図６に示すように、システムキッチン１に組み込まれる加熱調理器の本体２には、その上面に耐熱ガラスからなるプレート３が設けられ、調理用の容器（図示せず）を載置して、プレート３によって覆われた加熱コイル等よりなる加熱部６で加熱する。
【０００６】
ロースター部４は、加熱部６の下方で本体２の左側（右側でもよい）に配置されている。図５に示すように、ロースター部４は、本体２の前面部から出し入れされる受皿４ａ、その受皿４ａと一体に可動するドア４ｂ、ドア４ｂに取り付けられた取手４ｃ、受皿４ａ内に載置される焼網（図示せず）を備える。ロースター部４は、その内部に設けられるロースターヒータ（図示せず）によって、焼網の上に魚や肉等の調理物を載せて焼くものである。
【０００７】
操作部ケース５は、電源の入り切りや加熱の設定等を行うスイッチ類を備え、下部を支点とした開閉に伴い本体２内を出入りする。図中、操作部ケース５は、ロースター部４の横に設けられ、本体２の右側（左側でもよい）前面に配置されている。
【０００８】
１０は、本体２の設置後に本体２の前面の左右とシステムキッチン１の前面開口部の左右に形成される隙間を塞ぐサイドピースである。
【０００９】
上記従来の構成よりなる加熱調理器は、以下のような手順でシステムキッチン１に組み込まれる。
（１）本体２をシステムキッチン１の天板開口部１ａの中に挿入する。
【００１０】
より具体的には、この天板開口部１ａの中に本体２の前面部より挿入して、本体２の前面部がシステムキッチン１の前面開口部１ｂを臨む位置に位置付けられる。そしてシステムキッチン１の天板部に、本体２の外周縁部２ａで吊り下がる様に設置される。
（２）本体２の前面の左右とシステムキッチン１の前面開口部１ｂの左右に形成される隙間を、サイドピース１０を用いて塞ぎ、その隙間を埋める。
【００１１】
システムキッチン１の天板開口部１ａの幅Ｈ１は、ほとんどのシステムキッチンメーカーにおいて、約５６０ｍｍ、前面開口部１ｂの幅Ｈ２は、約６００ｍｍに設定されており、天板開口部１ａの幅Ｈ１より前面開口部１ｂの幅Ｈ２の方が広くなっている。
【００１２】
そのため、本体２はシステムキッチン１に組み込んだ後、本体２の前面の左右側面と、システムキッチン１の前面開口部１ｂの左右側面との隙間を、サイドピース１０で埋める必要があった。
（３）ロースター部４の受皿４ａ、受皿４ａと一体のドア４ｂ、取手４ｃ、受皿４ａ内に載置される焼網（図示せず）を本体２内に挿入する。
【００１３】
これにより、加熱調理器の本体２は、システムキッチン１上に一体的組み込まれ、上から見ると、見た目もスッキリとした外観となるが、正面から見た場合、ロースター部４とサイドピース１０及び操作部ケース５とサイドピース１０の間に、隙間である分割線１０ａが形成された。
【００１４】
上記のような構成の従来例として、特許文献１、および特許文献２等に開示された例がある。
【００１５】
【特許文献１】特開平１１−０８７０３４号公報
【特許文献２】特開２００３−３２９２５２号公報
【発明の開示】
【発明が解決しようとする課題】
【００１６】
前述したように、従来の組込式加熱調理器は、本体２の前面の左右とシステムキッチン１の前面開口部１ｂの左右に形成される隙間をサイドピース１０で埋める構成となっていたため、本体２内の加熱部６や、この加熱部６を冷却する送風機（図示せず）等から発生する騒音や送風音が、分割線１０ａの隙間から本体１の前面に漏れ出し、騒音の増大につながって使用者に不安感や不快感を感じさせる等の不具合があった。
【００１７】
また、正面から見た場合、ロースター部４とサイドピース１０及び操作部ケース５とサイドピース１０の間に形成される分割線１０ａがキッチントータルの美観を損ねるものとなっていた。
【００１８】
これらの課題に対して最近の加熱調理器においては、左側のサイドピース１０の厚みを薄くして、ロースター部４のドア４ｂで見えなくするためにロースター部４のドア４ｂの左側を伸ばした製品も商品化されている。しかし、右側の操作部ケース５側は、従来と同様な構成となっているため、依然として上述の課題を有するものであった。
【００１９】
本発明は、これらの課題を解決するためになされたものである。
【課題を解決するための手段】
【００２０】
上述の課題を解決するために、本発明の加熱調理器は、本体の上面に設けられたプレートと、このプレートの下方に設けられた加熱部と、この加熱部の下方であって前記本体の一側に設けられた調理物を焼くロースター部と、このロースター部とは反対側の本体前面に開閉式の操作部ケースとを備え、前記本体は、天板と前面に開口部を有する厨房家具の前記天板開口部に前記本体が挿入されて、前記前面開口部より前記ロースター部の前面部及び前記操作部ケースが臨む位置に配置される加熱調理器において、前記操作部ケースはその前面を覆う化粧カバーを備え、この化粧カバーは前記操作部ケースよりも横に長く、前記ロースター部とは反対側に伸びた延長部を有しているものである。
【００２１】
上記本発明によれば、組込み式加熱調理器の使用時の快適性を増すことができる。例えば、本体の加熱部やロースター部を使用して調理する際に、加熱部から発生する騒音や加熱部及びロースター部の制御部を冷却する送風機等から発生する送風音が分割線の隙間を通して本体の前面に漏れ出すことが少なくなり、騒音の増大を抑えることができる。また、システムキッチンの前面開口部を覆う操作部ケースの化粧カバーによってサイドピースが隠れて本体の正面に見えてこないため、スッキリとした外観に仕上げることが可能となる。このとき、ロースター部のドアも、ロースター部側方のサイドピースを覆い、操作部ケースと反対側に延びた構成を合わせて備えることで、厨房家具の前面開口部における分割線がロースター部と操作部ケースとの間だけとなり、より一層騒音に対して効果が高まる。
【００２２】
また、本発明は、上記構成に加えて、化粧カバーは前記操作部ケースの左右側面に設けられた操作部ケース嵌合部と嵌合する化粧カバー嵌合部を有するとよい。この嵌合部は、前記操作部ケース嵌合部と前記化粧カバー嵌合部とは、一方が凸状部を備え、他方が凹状部からなるものでもよい。また、前記操作部ケースの左右側面の前縁部にフランジを設け、そのフランジと嵌合する受け部を前記化粧カバーの前記ロースター部側縁部と前記ロースター部側とは反対位置にある前記フランジに対応する位置とに備えてもよい。
【００２３】
これによって、化粧カバーと操作部ケースとの一体性が高まり、本体側方に生じる隙間による影響を低減することができる。
【００２４】
さらに上述の課題を解決するために、本発明の加熱調理器は、本体の上面に設けられたプレートと、このプレートの下方に設けられた加熱部と、この加熱部の下方であって前記本体の一側に設けられた調理物を焼くロースター部と、このロースター部とは反対側の本体前面に開閉式の操作部ケースとを備え、前記本体は、天板と前面部に開口穴を有する厨房家具の前記天板開口穴に前記本体が挿入されて、前記前面部開口穴より前記ロースター部の前面部及び前記操作部ケースが臨む位置に配置される加熱調理器において、前記操作部ケースは前面に化粧カバーを有し、この化粧カバーは前記操作部ケースの前面を覆うと共に前記操作部ケースの側方に延長した延長部と、前記操作部ケースの左右側面を挟んで固定する固定部とを有するものである。
【００２５】
これによって、組込み式加熱調理器の使用時の快適性を増すことができる。また、ロースター部のドアも、ロースター部側方のサイドピースを覆い、操作部ケースと反対側に延びた構成を合わせて備えることで、厨房家具の前面開口部における分割線がロースター部と操作部ケースとの間だけとなり、より一層騒音に対して効果が高まる。
【００２６】
以上、上記本発明によれば、システムキッチンの前面開口部を覆う操作部ケースの化粧カバーによってサイドピースが隠れて本体の正面に見えてこないため、スッキリとした外観に仕上げることが可能となる。
【００２７】
また、本体の加熱部やロースター部を使用して調理する際に、加熱部から発生する騒音や加熱部及びロースター部の制御部を冷却する送風機（図示せず）等から発生する送風音が分割線の隙間を通して本体の前面に漏れ出すことが少なくなり、騒音の増大を抑えることができる。
【００２８】
さらに、化粧カバーは強度も充分備わり、操作部ケースから容易に外れないものである。
【発明の効果】
【００２９】
上記本発明によれば、本発明を適用した加熱調理機器は使用時の快適性を増すことができる。
【発明を実施するための最良の形態】
【００３０】
以下、本発明の一実施例を図１、図２、図３及び図４に従って説明する。
【００３１】
図１は本発明の一実施例における加熱調理器の組込要領図、図２は図１の加熱調理器の外観図である。図３は図１の加熱調理器における操作部ケースの側面図、図４は本発明の一実施例における操作部ケースと化粧カバーの構成を示す取り付け詳細図である。
【００３２】
図１及び図２において、加熱調理器を組み込むためのシステムキッチン１は、加熱調理器を組み込む部分以外は図示しておらず、図示されたシステムキッチン１は、上面に四角形の天板開口部１ａが設けられ、前面に長方形の前面開口部１ｂが設けられている。
【００３３】
システムキッチン１に組み込まれる加熱調理器の本体２は、システムキッチン１の天板開口部１ａの中に上面から挿入され、システムキッチン１の天面部にその外周縁部２ａが吊り下がる様に設置される。また、この設置によって前面の左右に配置した後記するロースター部４及び操作部ケース５がシステムキッチン１の前面開口部１ｂに臨み、本体１の前面から操作できるようになっている。
【００３４】
耐熱ガラス等からなるプレート３は、本体２の上面に配置され、調理用の容器（図示せず）を載置する。
【００３５】
加熱コイル等よりなる加熱部６は、本体２内の上部左右に配置され、プレート３によって覆われている。
【００３６】
ロースター部４は、加熱部６の下方で本体２の左側（右側でもよい）に配置され、内部にロースターヒータ（図示せず）や本体２の前面から出し入れされる受皿４ａ、該受皿４ａと一体のドア４ｂ、このドア４ｂに取り付けられた取手４ｃ、受皿４ａ内に載置される焼網（図示せず）等で構成されており、焼網の上に魚等を載せて焼くものである。
【００３７】
開閉式の操作部ケース５は、本体前面から電源の入り切りや加熱の設定等の操作を行うために操作部ケース５が開いたときに現われる上部に操作面を備え、ロースター部４の横で本体２の右側（左側でもよい）前面に配置される。
【００３８】
図３に本体２との関係を示したように、操作部ケース５の左右下部とそれに対向した本体２の側部にシャフト９を通し、この部分を基点に操作部ケース５は開閉してその上部操作面が本体２内より出入りする。
【００３９】
サイドピース７は、本体２の設置後に本体２の前面の左右とシステムキッチン１の前面開口部１ｂの左右に形成される隙間を塞ぐものであり、図６及び図７に示す従来例のサイドピース１０よりも板厚が薄く形成されている。
【００４０】
化粧カバー８は、本体２をシステムキッチン１に設置した後、操作部ケース５の前面に操作部ケース５と一体になるように取り付けられる。
【００４１】
図２に示すように、操作部ケース５に取り付けられた化粧カバー８は、操作部ケース５の前面を覆うカバー部８ａと、サイドピース７を覆ってシステムキッチン１の右側の壁まで伸ばした延長部８ｂとで形成された横長形状となっている。
【００４２】
図４はその詳細を示すもので、本体２から分離した操作部ケース５と化粧カバー８との関係を図示したものである。
【００４３】
操作部ケース５の左右側面には、その側面の前縁の長さを有する縦長のフランジ５ａと、左右側面の略中間に位置する凹状の嵌合部５ｂが設けている。また、このフランジ５ａ及び嵌合部５ｂと対応した位置に、化粧カバー８のロースター部４側の側面及びカバー部８ａと延長部８ｂとの境界部にコ字状の受け部８ｃと、受け部８ｃの略中間に位置する凸状の嵌合部８ｄを設けてある。嵌合部５ｂと嵌合部８ｄとは凹凸の関係が逆であってもよい。
【００４４】
操作部ケース５と化粧カバー８とは、化粧カバー８の受け部８ｃを操作部ケース５の上部から左右のフランジ５ａに沿って下向きにスライドさせ、両者の嵌合部８ｄ、５ｂを嵌合して一体的に固定する。なお、凹状の嵌合部５ｂと凸状の嵌合部８ｄは凹状と凸状を夫々逆にしてもよい。
【００４５】
また、図４中、フランジ５ａと受け部８ｃとは同等の長さを備えているが、別に長さが同等でなくても構わず、いずれか一方を短くしてもよく、また分割して複数個の部材としてもよい。
【００４６】
さらに、フランジ５ａと受け部８ｃとは操作部ケース５の左右側面の前縁に無くてもよく、例えば、前縁よりも離れた嵌合部５ｂ近傍にあってもよい。
【００４７】
嵌合部８ｄと嵌合部５ｂとは、嵌合部８ｄの素材に由来する弾性によって嵌合力を得るものであるが、他の付勢力、例えばバネを用いてもよい。この場合、バネを配置する空間に隙間を作らないように配置するとよい。
【００４８】
化粧カバー８の上縁には操作部ケース５の前部上縁と突き当たる鍔部を設けてもよい。この鍔部は化粧カバー８の操作部ケース５への取り付け時にその隙間を小さくすることができ、操作部ケース５の封止性も向上する。
【００４９】
以上の構成において、加熱調理器は、以下のような手順でシステムキッチン１に組み込まれる。
（１）本体２をシステムキッチン１の天板開口部１ａの中に挿入する。
（２）システムキッチン１の天板開口部１ａの開口幅Ｈ１に対して正面開口穴１ｂの開口幅Ｈ２が広いため、本体２の前面の左右と正面開口穴１ｂとの隙間を板厚の薄いサイドピース７を用いて塞ぎ、その隙間を埋める。このとき、サイドピース７は板厚の薄い分だけ本体２の前面より内側に入る。
（３）ロースター部４側は、図５及び図６に示した従来例の加熱調理器と同様にロースター部４のドア４ｂの左側を正面開口穴１ｂ左側の側面まで伸ばし、その延びた面で左側のサイドピース７を隠すようにする。
（４）化粧カバー８の受け部８ｃを操作部ケース５の上部から左右のフランジ５ａに沿ってスライドさせ、両者の嵌合部８ｄ、５ｂを嵌合して操作部ケース５と化粧カバー８とを一体的に固定するものである。
【００５０】
その設置した状態を図２の外観図及び図３の側面図に示す。図３の実線は操作部ケース５が開いた状態を示し、破線は閉じた状態を示す。この際、システムキッチン１の右側壁面まで伸ばした化粧カバー８の延長部８ｂは、図２に示すように右側のサイドピース７を隠すように取り付けられる。
【００５１】
特に、化粧カバー８の延長部８ｂは、従来存在した加熱調理器の前方外部と加熱調理器本体とが連通する空間(図６における分割線１０ａの隙間)を覆い、塞ぐことができる。
【００５２】
これによって、サイドピース７が化粧カバー８の延長部８ｂによって隠れて本体２の前面に見えてこないため、ロースター部４のドア４と化粧カバー８が面一となり、前面から見た場合、スッキリとした外観に仕上げることが可能となる。
【００５３】
また、本体２の加熱部６やロースター部４を使用して調理する際に、加熱部６から発生する騒音や加熱部６及びロースター部４の制御部を冷却する送風機（図示せず）等から発生する送風音が分割線の隙間を通して本体２の前面に漏れ出すことがなくなる。
【００５４】
さらに、化粧カバー８は、操作部ケース５の左右フランジ５ａに被さるように嵌合しているため、強度も充分備わり、かつ、嵌合部８ｄ、５ｂによって一体的に固定されるため操作部ケース５から容易に外れないものである。
【図面の簡単な説明】
【００５５】
【図１】本発明の一実施例における加熱調理器の組込要領図である。
【図２】図１の加熱調理器を示す外観図である。
【図３】図１の加熱調理器の操作部ケースの側面図である。
【図４】本発明の一実施例における加熱調理器の操作部ケースの取付詳細図である。
【図５】従来例の加熱調理器の組込要領図である。
【図６】従来例の加熱調理器を示す外観図である。
【符号の説明】
【００５６】
１    システムキッチン
１ａ  天板開口穴
１ｂ  前面開口部
２  本体
３  プレート
４  ロースター部
５  操作部ケース
５ａ  フランジ
５ｂ  嵌合部
６  加熱部
７  サイドピース
８  化粧カバー
８ａ  カバー部
８ｂ  延長部
８ｃ  受け部
８ｄ  嵌合部
【図１】
2007078295.tif 000003
【図２】
2007078295.tif 000004
【図３】
2007078295.tif 000005
【図４】
2007078295.tif 000006
【図５】
2007078295.tif 000007
【図６】
2007078295.tif 000008